(57)【要約】本発明は光学機器に関する。光学機器（１０）は、光学機器のユーザの眼の近傍において光学機器を配置し、使用するように構成された支持体と、使用時にユーザの眼の視野に入るように支持体に支持された光学装置（１２）であって、光学装置（１２）を通したユーザの眼の視界をユーザの両眼に対して横方向に反転するように構成された光学装置と、を備える。【選択図】図１
2009539127.tif 000002
【特許請求の範囲】
【請求項１】
光学機器であって、
該光学機器のユーザの眼の近傍において前記光学機器を配置し、使用するように構成された支持体と、
使用時に前記ユーザの前記眼の視野に入るように前記支持体に支持された光学装置であって、前記光学装置を通した前記ユーザの眼の視界を前記ユーザの両眼に対して横方向に反転するように構成された光学装置と、を備えた光学機器。
【請求項２】
前記光学装置は、前記視界が反射する反射平面を定める光学部品を備える、請求項１に記載の光学機器。
【請求項３】
前記光学装置は、前記光学部品によって定められる前記反射平面が実質的に正中面にあるように構成された、請求項２に記載の光学機器。
【請求項４】
前記光学機器は、前記反射平面が前記ユーザの視界の側頭部側及び鼻側の何れか一方に向くように構成された、請求項２又は請求項３に記載の光学機器。
【請求項５】
前記光学装置は、鏡を備える、請求項１から請求項４のいずれか1項に記載の光学機器。
【請求項６】
前記光学装置は、少なくとも一つのプリズムを備える、請求項１から請求項５のいずれか1項に記載の光学機器。
【請求項７】
前記プリズムは、全反射を提供するように構成された、請求項６に記載の光学機器。
【請求項８】
前記プリズムは、所定形状に加工されている請求項６又は請求項７に記載の光学機器。
【請求項９】
前記光学装置は、少なくとも一つのフレネル型プリズムを備える、請求項１から請求項８のいずれか1項に記載の光学機器。
【請求項１０】
前記光学装置は、一対の非点収差レンズを備える、請求項１から請求項９のいずれか1項に記載の光学機器。
【請求項１１】
前記光学装置は、使用中に、前記眼の上、及び前記眼の下の少なくとも一方の経線状平面を伸びる視界を提供するように構成された、請求項１から請求項１０のいずれか1項に記載の光学機器。
【請求項１２】
前記光学装置は、遠位にて、ユーザの眼の方へ向かう平面で切断されている、請求項１１に記載の光学機器。
【請求項１３】
前記光学装置がプリズムを備えるとき、前記光学装置は少なくとも一つのレンズを更に備える、請求項１から請求項１２のいずれか1項に記載の光学機器。
【請求項１４】
前記光学装置は、一つの拡大レンズを備える、請求項１３に記載の光学機器。
【請求項１５】
前記拡大レンズは、前記プリズムに対して、使用中に、前記拡大レンズが前記プリズムより前記ユーザの眼に近い側、及び前記ユーザの眼から前記プリズムより遠い側、のいずれか一方になるように配置される、請求項１４に記載の光学機器。
【請求項１６】
前記光学装置は、一つの縮小レンズを備える、請求項１３から請求項１５のいずれか1項に記載の光学機器。
【請求項１７】
前記縮小レンズは、前記プリズムに対して、使用中に、前記縮小レンズが前記プリズムより前記ユーザの眼に近い側、及び前記ユーザの眼から前記プリズムより遠い側、のいずれか一方になるように配置される、請求項１６に記載の光学機器。
【請求項１８】
前記光学装置は、少なくとも一つの非点収差レンズを備える、請求項１から請求項１７のいずれか1項に記載の光学機器。
【請求項１９】
前記光学装置が複数の非点収差レンズを備えるとき、前記複数の非点収差レンズの非点収差の軸は平行である、請求項１８に記載の光学機器。
【請求項２０】
前記光学装置がプリズムを備えるとき、前記光学装置は一対のレンズを更に備える、請求項１から請求項１９のいずれか1項に記載の光学機器。
【請求項２１】
前記一対のレンズは、拡大レンズ、及び縮小レンズから構成された、請求項２０に記載の光学機器。
【請求項２２】
前記光学機器は、使用中に、前記拡大レンズがユーザの眼から前記プリズムより遠い側に、かつ前記縮小レンズがユーザの眼から前記プリズムより近い側に配置されるように構成された、請求項２１に記載の光学機器。
【請求項２３】
前記光学機器は、使用中に、前記縮小レンズがユーザの眼から前記プリズムより遠い側に、かつ前記拡大レンズがユーザの眼から前記プリズムより近い側に配置されるように構成された、請求項２１に記載の光学機器。
【請求項２４】
前記光学機器は、ユーザの体の部分を見るように構成された、請求項２０から請求項２３のいずれか1項に記載の光学機器。
【請求項２５】
前記一対のレンズの間の距離は、前記レンズの焦点距離の差より大きい、請求項２４に記載の光学機器。
【請求項２６】
前記光学機器は、前記光学機器からユーザの体の部分より更に遠くに位置する対象を見るように構成された、請求項２０から請求項２５のいずれか1項に記載の光学機器。
【請求項２７】
前記一対のレンズの間の距離は、前記レンズの焦点距離の差に実質的に等しい、請求項２６に記載の光学機器。
【請求項２８】
前記光学装置は、一対のフレネル型非点収差レンズを備える、請求項１から請求項２７のいずれか1項に記載の光学機器。
【請求項２９】
前記光学装置は、前記光学機器が使用中のとき、前記ユーザの顔から離れる方向にお互いに間隔をおいて配置される一対の円柱レンズを備える、請求項１から請求項２７のいずれか1項に記載の光学機器。
【請求項３０】
前記一対の円柱レンズの光学的作用の低い面がお互いに正対する、請求項２９に記載の光学機器。
【請求項３１】
前記光学機器が一対の非点収差レンズを備えるとき、前記非点収差レンズのそれぞれの焦点距離は実質的に同じである、請求項１から請求項３０のいずれか1項に記載の光学機器。
【請求項３２】
前記光学機器が一対の非点収差レンズを備えるとき、前記非点収差レンズのそれぞれの焦点距離は等しくない、請求項１から請求項３０のいずれか1項に記載の光学機器。
【請求項３３】
少なくとも一つの非点収差レンズを備える、請求項１から請求項３２のいずれか1項に記載の光学機器。
【請求項３４】
前記少なくとも一つのレンズは曲面を含む、請求項３３に記載の光学機器。
【請求項３５】
前記光学機器は、二つの光学装置がそれぞれ間隔をおいて配置されるように、前記支持体に支持される他の光学装置を更に備え、前記他の光学装置は、使用中に、ユーザの他の眼の視界を反転するように構成された、請求項１から請求項３４のいずれか1項に記載の光学機器。
【請求項３６】
前記光学機器が前記ユーザの前記眼の近くに配置され使用されるとき、前記二つの光学装置のそれぞれ一つ一つが前記ユーザの二つの眼のそれぞれ一つ一つの視野の中にあるように、前記光学機器は構成され、前記二つの光学装置はそれぞれ間隔をおいて配置された、請求項３５に記載の光学機器。
【請求項３７】
前記二つの光学装置のうちの一つの前記支持体に対する方向は固定されていて、前記二つの光学装置の他方の前記支持体に対する方向は変更可能である、請求項３５又は請求項３６に記載の光学機器。
【請求項３８】
前記二つの光学装置は、使用中において、それらのそれぞれの視界が実質的に同じ対象の方向を向く、請求項３５から請求項３７のいずれか1項に記載の光学機器。
【請求項３９】
前記光学機器は、前記光学機器のユーザに着用されるように構成された、請求項１から請求項３８のいずれか1項に記載の光学機器。
【請求項４０】
前記光学機器は、前記光学機器のユーザの頭部に着用されるように構成された、請求項３９に記載の光学機器。
【請求項４１】
前記支持体は、前記ユーザに着用されるように構成された着用可能な機器に前記光学機器を取り付けるように構成された、請求項１から請求項４０のいずれか1項に記載の光学機器。
【請求項４２】
前記支持体は、前記ユーザの頭部に着用されるように構成された着用可能な機器に前記光学機器を取り付けるように構成された、請求項４１に記載の光学機器。
【請求項４３】
前記支持体は、前記着用可能な機器に前記光学機器を着脱可能に取り付けるように構成された、請求項４２に記載の光学機器。
【請求項４４】
前記支持体は、前記着用可能な機器に係合するように構成されたクリップを備える、請求項４３に記載の光学機器。
【請求項４５】
前記支持体は、前記クリップを付勢して前記クリップと前記装着可能な機器とを堅く係合させる付勢装置を備える、請求項４４に記載の光学機器。
【請求項４６】
前記光学機器は、ユーザに保持されるように構成された、請求項１から請求項４５のいずれか1項に記載の光学機器。
【請求項４７】
前記光学機器は、約５０グラム未満の重量である、請求項１から請求項４６のいずれか1項に記載の光学機器。
【請求項４８】
前記光学機器は、約２５グラム未満の重量である、請求項４７に記載の光学機器。
【請求項４９】
前記光学機器は、前記光学装置を通した前記ユーザの眼の視界を制限するように構成された制限部材を備える、請求項１から請求項４８のいずれか1項に記載の光学機器。
【請求項５０】
前記制限部材は、前記光学装置を通した前記ユーザの眼の視界を定める、請求項４９に記載の光学機器。
【請求項５１】
前記制限部材は、前記光学機器が使用中のときに、前記ユーザの顔面から延びるように構成された、請求項４９又は請求項５０に記載の光学機器。
【請求項５２】
前記制限部材は、前記光学機器が使用中のときに、前記ユーザの顔面から延びる空間を定める、請求項５１に記載の光学機器。
【請求項５３】
前記制限部材は、前記支持体に装着されている、請求項４９から請求項５２のいずれか1項に記載の光学機器。
【請求項５４】
前記制限部材は、前記支持体と一体的に形成されている、請求項５３に記載の光学機器。
【請求項５５】
前記光学機器は、中心軸間距離を変化できるように構成された、請求項１から請求項５４のいずれか1項に記載の光学機器。
【請求項５６】
前記光学装置は、前記光学機器に対して横方向に可動である、請求項５５に記載の光学機器。
【請求項５７】
前記光学装置は、前記光学機器に対して回転可能である、請求項１から請求項５６のいずれか1項に記載の光学機器。
【請求項５８】
前記光学装置は、本質的に非共軸のプリズムである、請求項５７に記載の光学機器。
【請求項５９】
前記光学装置が回転可能である場合、前記光学機器は、前記光学装置と共に移動する指示器と協動して前記光学装置の回転の範囲を示す、間隔を置かれた複数の印を備える、請求項１から請求項５８のいずれか1項に記載の光学機器。
【請求項６０】
前記光学機器は、地面に対する前記光学機器の水平度を示すように機能する傾斜表示装置を備える、請求項１から請求項５９のいずれか1項に記載の光学機器。
【請求項６１】
前記傾斜表示装置は、前記光学機器が地面に対して実質的に水平であるときを示すように機能する、請求項６０に記載の光学機器。
【請求項６２】
前記傾斜表示装置は、アルコール水準器を備える、請求項６１に記載の光学機器。
【請求項６３】
請求項１から請求項６２のいずれか1項に記載の光学機器を備える、眼鏡。
【請求項６４】
前記眼鏡は、前記光学機器を備えた第一のレンズ機器、及び第二のレンズ機器であって前記第二のレンズ機器を通した前記ユーザの眼のうちの一つの視界を妨げるように構成された第二のレンズ機器を備える、請求項６３に記載の眼鏡。
【請求項６５】
前記第二のレンズ機器は、それによって実質的に光の通過を遮断するように構成された不透明部材、及び光の通過を減少するように構成された半透明部材の内の一つを備える、請求項６４に記載の眼鏡。
【請求項６６】
前記眼鏡は、前記光学機器が前記ユーザのどちらかの眼又は両方の眼に対して機能するように構成された、請求項６３から請求項６５のいずれか1項に記載の眼鏡。
【請求項６７】
前記眼鏡は、第一の方向を上にした着用方向、又は逆さまにして第二の方向を上にした着用方向で着用可能に構成された、請求項６６に記載の眼鏡。
【請求項６８】
前記第一及び第二のレンズ機器はお互いに間隔をおいて配置されると共にブリッジによって接続され、前記ブリッジは前記ブリッジに取り付けられた少なくとも一つの弾性部材を備え、前記弾性部材は前記眼鏡がどちらの方向を上にして着用されるときにも少なくとも一つの前記弾性部材が前記ユーザの鼻と前記ブリッジの残り部分との間に介装されるように構成された、請求項６７に記載の眼鏡。
【請求項６９】
前記眼鏡は、前記光学機器の前記光学装置を通した前記ユーザの眼の前記視界を変化できるように構成された、請求項６３から請求項６８のいずれか1項に記載の眼鏡。
【請求項７０】
前記眼鏡は、前記視界を前記ユーザの両眼に対して横方向に移動できるように構成された、請求項６９に記載の眼鏡。
【請求項７１】
前記光学装置は、前記眼鏡に対して移動可能である、請求項７０に記載の眼鏡。
【請求項７２】
前記光学装置は、前記眼鏡に対して回転可能である、請求項７１に記載の眼鏡。
【請求項７３】
前記光学装置は、前記可動装置の横方向が可変であるように可動である、請求項７１又は請求項７２に記載の眼鏡。
【請求項７４】
前記光学装置は、前記眼鏡が使用されるとき、ほぼ前記ユーザの顔面によって規定される平面と平行である平面の中で回転可能である、請求項７１又は請求項７２に記載の眼鏡。
【請求項７５】
前記眼鏡は、約２００グラム未満の重量である、請求項６３から請求項７４のいずれか1項に記載の眼鏡。
【請求項７６】
前記眼鏡は、約１００グラム未満の重量である、請求項７５に記載の眼鏡。
【請求項７７】
磁気共鳴映像法スキャナ及び請求項１から請求項７６のいずれか1項に記載の光学機器を備えた部品キットであって、前記光学機器は前記磁気共鳴映像法スキャナの被験者によって用いられるように構成された、部品キット。
【請求項７８】
陽電子放出断層撮影法スキャナ及び請求項１から請求項７６のいずれか1項に記載の光学機器を備えた部品キットであって、前記光学機器は前記陽電子放出断層撮影法スキャナの被験者によって用いられるように構成された、部品キット。
【発明の詳細な説明】
【技術分野】
【０００１】
本発明は、光学機器に関し、特に、発作リハビリテーション用の、脳外傷リハビリテーション用の、又は 身体性および視覚性の機能不全の治療用の、又は実験装置としての、治療、検査、及び痛みの診断に適した光学装置に関するがそれに限定されるものではない。
【背景技術】
【０００２】
以上の医学的症状は、鏡ボックスと称される手段で治療できる。鏡ボックスは、２個の別々のコンパートメントと鏡装置と、から構成される。ユーザは、彼の又は彼女の左腕を左のコンパートメントに挿入する、又は彼の又は彼女の右腕を右のコンパートメントに挿入する。腕が挿入されたコンパートメントは、挿入された肢を視界から隠すために覆われる。鏡ボックス内部の鏡装置は、ユーザに対して、その肢が他のコンパートメントに存在し、彼の又は彼女の他の肢であるように見えるように、挿入された肢の像を反転する。例えば、ユーザが彼又は彼女の左腕を挿入する場合、彼又は彼女は、それが彼又は彼女の右腕であるように見えるように、彼又は彼女の左腕の反転した像を見る。この光学的に作成された右腕の存在の幻影は、ユーザの脳に、左腕の動きは実際には右腕の動きであると思い込ませる幻覚を生じる。その結果、脳が、技術分野の項で述べた医学的症状を改善できる再配置を受けるものと理解される。
【０００３】
鏡ボックスは、欠点も有する。更に具体的には、鏡ボックスは、頻繁な使用のために非実用的であり、脚の利用に適していない。
【０００４】
最近、多くの活動がＰＬＰの薬物治療の開発に関して行われている。しかしながら、薬物治療は、望ましくない副作用を生じることがある。
【０００５】
逆に、失読症及び類似の症候群で、視覚性の知覚的な反転が発生し、そして、この可能性はまだ研究されていない。
【０００６】
他の非対称の神経系症状、例えば、発作、視覚性の軽視（ｎｅｇｌｅｃｔ）症候群及び複合性局所疼痛症候群は、鏡ボックス治療法の恩恵を受けることができる。更に、他の眼科的症状、例えば、眼のシクロねじれ（ｃｙｃｌｏｔｏｒｓｉｏｎ）又は複視は、例えば鏡ボックスによって提供される画像反転によって診断される。加えて、肢損傷および外科手術後の患者のリハビリテーションは、運動選手のリハビリテーションを含め、鏡ボックスによって生成される視覚的錯視の恩恵を受けることができる。
【発明の概要】
【０００７】
本発明は、上述の医学的症状の治療に対する周知のアプローチの上述の問題点に鑑み、完成されたものである。
【０００８】
従って、上述の医学的症状に適した装置を提供することは、本発明の目的である。
【０００９】
更に具体的には、上述の医学的症状の治療のための光学装置を提供することは、本発明の目的である。
【課題を解決するための手段】
【００１０】
本発明の第１の態様によれば、光学機器であって、光学機器のユーザの眼の近傍において光学機器を配置し、使用するように構成された支持体と、使用時にユーザの眼の視野に入るように支持体に支持された光学装置であって、光学装置を通したユーザの眼の視界をユーザの両眼に対して横方向に反転するように構成された光学装置と、を備えた光学機器が提供される。
【００１１】
例えば、幻肢痛（ＰＬＰ）の治療にこの装置を用いる場合、ユーザは光学機器の支持体を彼の一方の眼の前に配置し、彼の残っている肢、例えば腕を光学装置を通して見る。光学装置は、ユーザの眼の視界を彼の眼に対して横方向に反転する。ユーザの眼の視界の彼又は彼女の眼に対する横方向の反転は、視界が正中面によって反射されていることを意味する。この様にして、例えば、ユーザが光学装置を通して彼の左腕を見る場合、彼には、彼の右の、切断された腕が存在するように見える。
【００１２】
この光学機器の利点は、光学機器が鏡ボックスに比べてずっと携帯可能であり、邪魔にならないことであり、それによって、ユーザに対して大きな活動の自由を与える。この光学機器は、ユーザの通常の視覚環境に、より近似したものを提供する。これは、保管及び持ち運びを容易にし、家庭環境での使用を可能にしている。加えて、この光学機器は、鏡ボックスに比べて、下肢における使用における非常な容易性を提供する。
【００１３】
更に具体的には、光学装置は、視界が反射する反射平面を定める光学部品を備えていてよい。
【００１４】
更に具体的には、光学装置は、光学部品によって定められる反射平面が実質的に正中面にあるように構成されていてよい。
【００１５】
或は、又は加えて、光学機器は、反射平面がユーザの視野の側頭部側及び鼻側の何れか一方に向くように構成されていてよい。
【００１６】
或は、又は加えて、光学装置は、鏡を備えていてよい。
【００１７】
或は、又は加えて、光学装置は、少なくとも一つのプリズムを備えていてよい。例えば、光学装置は、一対のプリズムを備えていてよい。
【００１８】
更に具体的には、プリズムは、全反射を提供するように構成されていてよい。プリズムは、三角形でよい。
【００１９】
或は、又は加えて、プリズムは、例えば、ドーブプリズムの形状に加工されていてよい。
【００２０】
或は、又は加えて、光学装置は、少なくとも一つのフレネル型プリズムを備えていてよい。例えば、光学装置は、一対のフレネル型プリズムを備えていてよい。
【００２１】
或は、又は加えて、光学装置は、一対の非点収差レンズを備えていてよい。
【００２２】
或は、又は加えて、光学装置は、使用中に、眼の上、及び眼の下の少なくとも一方の経線状（メリジオナル）平面を伸びる視界を提供するように構成されていてよい。眼の下の経線状平面における視界の延長は、ユーザの下肢の十分な視界を提供できる。
【００２３】
更に具体的には、光学装置は、遠位にて、ユーザの眼の方へ向かう平面で切断されていてよい。従って、光学装置の視界の外側に関する光学装置の部分は、除去されてもよい。これは、光学機器の軽量化を提供できる。
【００２４】
或は、又は加えて、光学装置がプリズムを備えるとき、光学装置は少なくとも一つのレンズを更に備えていてよい。
【００２５】
更に具体的には、光学装置は、一つの拡大レンズを備えていてよい。従って、拡大レンズは、ユーザが見る対象を拡大できる。
【００２６】
更に具体的には、拡大レンズはプリズムに対して、使用中に、拡大レンズがプリズムよりユーザの眼に近い側、及びユーザの眼からプリズムより遠い側、の何れか一方になるように配置されてよい。見る対象の拡大の範囲は、ユーザの眼及び拡大レンズとの間の距離に左右される。
【００２７】
或は、又は加えて、光学装置は、一つの縮小レンズを備えていてよい。この様にして、縮小レンズは、ユーザが見る対象を縮小できる。
【００２８】
更に具体的には、縮小レンズはプリズムに対して、使用中に、縮小レンズがプリズムよりユーザの眼に近い側、及びユーザの眼からプリズムより遠い側、の何れか一方になるように配置されてよい。見る対象の縮小の範囲は、ユーザの眼及び縮小レンズとの間の距離に左右される。
【００２９】
或は、又は加えて、光学装置は、少なくとも一つの非点収差レンズを備えていてよい。非点収差レンズは、使用中に、ユーザが見る対象の像が経線で歪むように光学機器に配置されていてよい。
【００３０】
更に具体的に、光学装置が複数の非点収差レンズを備えるとき、複数の非点収差レンズの非点収差の軸は平行でよい。また、各経線におけるレンズの焦点距離の差は、同じであってよい。この様にして、この配置における経線は、最適焦点にあってよい。
【００３１】
或は、又は加えて、光学装置がプリズムを備えるとき、光学装置は一対のレンズを更に備えていてよい。
【００３２】
更に具体的に、一対のレンズは、拡大レンズ及び縮小レンズから構成されていてよい。
【００３３】
更に具体的には、光学機器は、使用中に、拡大レンズがユーザの眼からプリズムより遠い側に、かつ縮小レンズがユーザの眼からプリズムより近い側に配置されていてよい。この構成は、見る対象の拡大、又は、若干の縮小を行うことができる。
【００３４】
見る対象の拡大の範囲は、拡大レンズ、及び縮小レンズの焦点距離の比率によって決定できる。或は、見る対象の縮小の範囲は、拡大レンズ、及び縮小レンズの焦点距離の比率によって決定できる。ここにおいて、縮小レンズの焦点距離は、拡大レンズの焦点距離より長い。
【００３５】
或は、光学機器は、使用中に、縮小レンズがユーザの眼からプリズムより遠い側に、かつ拡大レンズがユーザの眼からプリズムより近い側に配置されていてよい。この構成は、見る対象の縮小、又は、若干の拡大を行うことができる。
【００３６】
見る対象の縮小の範囲は、拡大レンズ、及び縮小レンズの焦点距離の比率によって決定できる。或は、見る対象の拡大の範囲は、拡大レンズ、及び縮小レンズの焦点距離の比率によって決定できる。ここにおいて、縮小レンズの焦点距離は、拡大レンズの焦点距離より長い。
【００３７】
或は、又は加えて、光学機器は、ユーザの体の部分を見るように構成されていてよい。
【００３８】
更に具体的には、一対のレンズの間の距離は、それらのレンズの焦点距離の差より大きくてよい。
【００３９】
或は、又は加えて、光学機器は、光学機器からユーザの体の部分より更に遠くに位置する対象を見るように構成されていてよい。
【００４０】
更に具体的には、一対のレンズの間の距離は、それらのレンズの焦点距離の差に実質的に等しくてよい。
【００４１】
或は、又は加えて、光学装置は、一対のフレネル型非点収差レンズを備えていてよい。
【００４２】
或は、光学装置は、光学機器が使用中のとき、ユーザの顔から離れる方向にお互いに間隔をおいて配置される一対の円柱レンズを備えていてよい。
【００４３】
更に具体的には、一対の円柱レンズの光学的作用の低い面が、お互いに正対していてよい。
【００４４】
或は、又は加えて、非点収差レンズのそれぞれの焦点距離は、実質的に同じでよい。これは、光学機器を通して見る対象に関して拡大係数１を提供できる。
【００４５】
或は、非点収差レンズのそれぞれの焦点距離は、等しくなくてもよい。この様にして、ユーザの顔面により近いレンズの焦点距離が他のレンズの焦点距離より小さい場合、光学装置を通した横方向の視界は減少し、水平方向の倍率は１以下となる。逆にいえば、ユーザの顔面により近いレンズの焦点距離が他のレンズの焦点距離より大きい場合、光学装置を通した横方向の視界は拡大され、水平方向の倍率は１以上となる。
【００４６】
或は、又は加えて、レンズは、曲面（例えば双曲線）を含んでいてよい。この曲面は、光学的性能の最適化を提供する。
【００４７】
光学機器は、二つの光学装置がそれぞれ間隔をおいて配置されるように、支持体に支持される他の光学装置を更に備え、他の光学装置は、使用中に、ユーザの他の眼の視界を反転するように構成されていてよい。
【００４８】
更に具体的には、光学機器がユーザの眼の近くに配置され使用されるとき、二つの光学装置のそれぞれ一つ一つがユーザの二つの眼のそれぞれ一つ一つの視野の中にあるように、光学機器は構成され、二つの光学装置はそれぞれ間隔をおいて配置されていてよい。この様にして、光学機器は、ユーザの左右眼の視界を同時に反転させるために用いることができる。
【００４９】
或は、又は加えて、二つの光学装置のうちの一つの支持体に対する方向は固定されていてよく、二つの光学装置の他方の支持体に対する方向は変更可能であってよい。
【００５０】
或は、又は加えて、二つの光学装置は、使用中において、それらのそれぞれの視界が実質的に同じ対象の方向を向いていてよい。
【００５１】
本発明の一態様によれば、光学機器は、光学機器のユーザに着用されるように構成されていてよい。
【００５２】
更に具体的には、光学機器は、光学機器のユーザの頭部に着用されるように構成されていてよい。この様にして、光学機器は、眼鏡の一部を構成していてよい。
【００５３】
或は、又は加えて、支持体は、ユーザに着用されるように構成された着用可能機器に光学機器を取り付けるように構成されていてよい。
【００５４】
更に具体的には、支持体は、ユーザの頭部に着用されるように構成された着用可能機器、例えば眼鏡に光学機器を取り付けるように構成されていてよい。
【００５５】
或は、又は加えて、支持体は、着用可能な機器に光学機器を着脱可能に取り付けるように構成されていてよい。
【００５６】
更に具体的には、支持体は、着用可能な機器に係合するように構成されたクリップを備えていてよい。
【００５７】
更に具体的には、支持体は、クリップを付勢してクリップと装着可能な機器とを堅く係合させる付勢装置、例えばバネを備えていてよい。
【００５８】
本発明の他の態様において、光学機器は、光学機器のユーザに保持されるように構成されていてよい。この様にして、支持体は、ユーザに握られるように構成された少なくても一つの掴み面を備えていてよい。この様にして、ユーザは、掴み面を有する光学機器を保持できて、光学機器をユーザの両眼の内の一つの近くに、その眼に対してその機器を使用するために持って来ることができる。
【００５９】
或は、又は加えて、光学機器は、約５０グラム未満の重量であってよい。
【００６０】
更に具体的には、光学機器は、約２５グラム未満の重量であってよい。
【００６１】
或は、又は加えて、光学機器は、光学装置を通したユーザの眼の視界を制限するように構成された制限部材を備えていてよい。この様にして、ユーザの肢、例えば腕又は脚を、肢の周囲の背景を減らして、見ることができるように視界を調整できる。
【００６２】
更に具体的には、制限部材は、光学装置を通したユーザの眼の視界を定めることができる。
【００６３】
或は、又は加えて、制限部材は、光学機器が使用中のときに、ユーザの顔面から延びるように構成されていてよい。
【００６４】
更に具体的には、制限部材は、光学機器が使用中のときに、ユーザの顔面から延びる空間を定めてもよい。この様にして、制限部材は、光学機器が使用中のときに、ユーザが彼の眼によって見るトンネルを形成してよい。制限部材は、例えば、矩形断面のトンネルを定めてよい。
【００６５】
或は、又は加えて、制限部材は、支持体に装着されていてよい。
【００６６】
更に具体的には、制限部材は、支持体と一体的に形成されていてよい。
【００６７】
或は、又は加えて、光学機器は、中心軸間距離を変化できるように構成されていてよい。中心軸間距離の変化は、異なるユーザ（異なる眼間隔のユーザ）の光学機器の使用を可能にする。
【００６８】
更に具体的には、光学装置は、光学機器に対して横方向に可動であってよい。
【００６９】
或は、又は加えて、光学装置は、光学機器に対して回転可能であってよい。この様にして、光学装置は、横方向に可動であってよい。
【００７０】
更に具体的には、光学装置は、ドーブプリズムのような、本質的に非共軸のプリズムであってよい。
【００７１】
或は、又は加えて、光学装置が回転可能である場合、光学機器は、光学装置と共に移動する指示器と協動して光学装置の回転の範囲を示す、間隔を置かれた複数の印を備えていてよい。
【００７２】
或は、又は加えて、光学機器は、地面に対する光学機器の水平度を示すように機能する、例えば地球の重力場を参照するような、傾斜表示装置を備えてもよい。
【００７３】
更に具体的には、傾斜表示装置は、光学機器が地面に対して実質的に水平であるときを示すように機能してよい。
【００７４】
更に具体的には、傾斜表示装置は、アルコール水準器を備えていてよい。
【００７５】
本発明の第二態様によれば、本発明の第一態様に基づく光学機器を備えた眼鏡が提供される。
【００７６】
更に具体的には、眼鏡は、光学機器を備えた第一のレンズ機器、及び第二のレンズ機器であって第二のレンズ機器を通したユーザの眼のうちの一つの視界を妨げるように構成された第二のレンズ機器を備えていてよい。
【００７７】
更に具体的には、第二のレンズ機器は、それによって実質的に光の通過を遮断するように構成された不透明部材、及び光の通過を減少するように構成された半透明部材の内の一つを備えていてよい。
【００７８】
或は、又は加えて、眼鏡は、光学機器がユーザのどちらかの眼又は両方の眼に対して機能するように構成されていてよい。
【００７９】
更に具体的には、眼鏡は、第一の方向を上にした着用方向、又は逆さまにして第二の方向を上にした着用方向で着用可能に構成されていてよい。この様にして、第一の方向を上にして着用されるとき、光学装置はユーザの左右眼の一方に対して使用でき、第二の方向を上にして着用されるとき、光学装置はユーザの左右眼の他方に対して使用できる。
【００８０】
更に具体的には、第一及び第二のレンズ機器はお互いに間隔をおいて配置されると共にブリッジによって接続され、ブリッジはブリッジに取り付けられた少なくとも一つの弾性部材を備え、弾性部材は眼鏡がどちらの方向を上にして着用されるときにも少なくとも一つの弾性部材がユーザの鼻とブリッジの残り部分との間に介装されるように構成されていてよい。
【００８１】
或は、又は加えて、眼鏡は、光学機器の光学装置を通したユーザの眼の視界を変化できるように構成されていてよい。
【００８２】
更に具体的には、眼鏡は、視界をユーザの両眼に対して横方向に移動できるように構成されていてよい。
【００８３】
更に具体的には、光学装置は、眼鏡に対して移動可能であってよい。
【００８４】
更に具体的には、光学装置は、眼鏡に対して回転可能であってよい。
【００８５】
一つの態様において、光学装置は、可動装置の横方向が可変であるように可動であってよい。この様にして、光学装置は、前頭面の周りを回転可能であってよい。例えば、光学装置がプリズムである場合、プリズムの表面の方向は、反射面が実質的に正中面になるようにプリズムの反射面の方向を変えるために、変えてよい。この特徴は、眼鏡が第一の方向を上にして使用されるとき、及び眼鏡が逆さまにされ第二の方向を上にして使用されるときに、適切な視界を提供するために用いることができる。
【００８６】
第二の態様において、光学装置は、眼鏡が使用されるとき、ほぼユーザの顔面によって規定される平面と平行である平面の中で回転可能であってよい。この様にして、光学装置は、ユーザの顔面によって規定される平面とほぼ直角をなす軸に対して回転可能であってもよい。
【００８７】
或は、又は加えて、眼鏡は、２００グラム未満の重量であってよい。
【００８８】
更に具体的には、眼鏡は、１００グラム未満の重量であってよい。
【００８９】
本発明の第二の態様の更なる実施形態は、本発明の第一の態様の一つ又はそれ以上の特徴を備えていてよい。
【００９０】
本発明の第三の態様によれば、磁気共鳴映像法（ＭＲＩ）スキャナ及び本発明の第一の態様に基づく光学機器を備えた部品キットであって、光学機器は磁気共鳴映像法（ＭＲＩ）スキャナの被験者によって用いられるように構成された部品キットが提供される。
【００９１】
本発明の第三の態様の実施形態は、本発明の第一及び第二の態様の一つ又はそれ以上の特徴を備えていてよい。
【００９２】
本発明の第四の態様によれば、陽電子放出断層撮影法（ＰＥＴ）スキャナ及び本発明の第一の態様に基づく光学機器を備えた部品キットであって、光学機器は陽電子放出断層撮影法（ＰＥＴ）スキャナの被験者によって用いられるように構成された部品キットが提供される。
【００９３】
本発明の第四の態様の実施形態は、本発明の第一及び第二の態様の一つ又はそれ以上の特徴を備えていてよい。
【００９４】
本発明の更に別の態様によれば、ユーザの一つの眼の近くに光学装置を配置するステップと、ユーザが光学装置を通したユーザの視界をユーザの両眼に対して横方向に反転させるように構成されている光学装置を通して見るステップと、を含む処置方法が提供される。
【００９５】
本発明の更なる態様の実施形態は、本発明の第一から第四の態様の一つ又はそれ以上の特徴を備えていてよい。
【発明を実施するための最良の形態】
【００９６】
図１は、本発明の一実施例形態に基づく眼鏡１０を示す。眼鏡フレーム１２は、支持体を構成し、それは眼鏡の第一のレンズ１６の前にプリズム１４を保持する。図１において、文字ａで示すケーシング管の領域は、本発明に基づくプリズムの作用を損なうことなく除去できるプリズムの一部分を示す。眼鏡の第二のレンズ１８は、光のレンズの透過を実質的に遮断する不透明体である。更に、プリズム１４を包囲しているレンズの表面は、第一のレンズ１６を通した視界を制限する不透明体である。視界は、プリズム１４の上面、下面、及び側面２０を不透明材で覆うことによって、更に制限される。不透明材は、例えば樹脂のコーティング、又は被覆の形態をしていてよい。図１の眼鏡は、約９０グラムの重量である。
【００９７】
図２ａ及び２ｂは、本発明の別の実施形態に基づく眼鏡３０及び４０の模式図を示す。図２ａに示すように、鏡３２は、眼鏡３０の第一のレンズ３４の前に取り付けられる。鏡３２の反射面３６（反射平面を構成する）は、眼鏡３０の着用者の鼻側を向いている。図２ｂは別の装置を示し、鏡４２は眼鏡４０の第二のレンズ４４の前に取り付けられる。鏡４２の反射面４６は、眼鏡４０の着用者の側頭部側を向いている。図２ａ及び２ｂは、いずれも模式図であり、鏡３２及び４２がどのように眼鏡に装着されるかを示すものではないが、鏡３２及び４２のそれぞれは、眼鏡のフレームから鏡の反射面３６及び４６の反対側面に延びた、樹脂又は類似の物質により成形された取付部材によって取り付けることができる。更に、鏡３２及び４２のない方の眼鏡３０及び４０のレンズは、図１に示された眼鏡と同様に不透明である。
【００９８】
図３ａ、３ｂ及び３ｃは、図１で示す実施形態において使用されるプリズムの別の態様の模式的側面図である。図３ａ、３ｂ及び３ｃにおいて、矢印線は、ユーザの眼５２、６２及び６６の視界を示す。図３ａにおいて、プリズム５０は、比較的短くて、制限された垂直方向の視界を提供する。図３ｂにおいて、プリズム６０は、眼の位置より下において比較的長くて、増加された垂直方向の視界を提供する。プリズムの点線部分６４は、ユーザ６２の視界の外側であるため除去できる。図３ｃにおいて、プリズム６７は、眼の位置より上及び下において比較的長くて、増加された垂直方向の視界を提供する。従って、図３ｃに示す装置を、図９ａ、９ｂ及び９ｃに示す上下逆転可能な実施形態、又は図１０に示す回転可能な実施形態において用いるとき、図３ｂの装置によって得られる眼の位置より下において増加された視界は、プリズム６７が上下どちらの向きであっても、図３ｃの装置によって得ることができる。プリズム６７の点線部分６８は、プリズムの上下の端に向かうと共にユーザの眼の方に向かっており、それらはユーザ６６の視界の外側であるため除去できる。
【００９９】
図４ａ、４ｂ、４ｃ及び４ｄは、図１、２ａ及び２ｂの実施形態において使用する光学装置の模式的平面図を示す。図４ａ、４ｂ、４ｃ及び４ｄにおいて、矢印線は、光学装置を通過する光線を示すと共に、光学装置の作用も示す。図４ａは、ドーブプリズム７０を示す。プリズム７０の点線部分７２は、本発明に基づくプリズムの作用に影響を与えることなく除去できる。図４ａに示すように、入射光線は、プリズム７０の下方内表面７４（反射平面を構成する）において反射される。反射の効果は、ユーザがプリズムを通して見る画像を反転させることである。図４ｂは、図４ａと同様のプリズム８０を示しているが、異なる点は、矢印線で示すように、ユーザが斜めにプリズムを通した画像を見ることである。しかしながら、プリズム８０による画像の反射の効果は、画像を反転するという点で、図４ａに関するものと同じである。図４ａ及び４ｂにおいて、プリズム７０、８０の表面は、それぞれの表面を通過するとき光線の方向が変化しているように、光を屈折させる。図４ｃは、屈折表面９２を有する他のプリズム９０を示す。ここで、屈折表面９２における光線の垂直入射は、プリズム９０の表面の光の通過に影響を与えない。図４ａ、４ｂ及び４ｃのプリズム７０、８０及び９０は、図１に示す実施形態において使用される。図４ｄは、図２ａ及び２ｂに示す実施形態において使用される鏡１００の模式的平面図を示す。図４ａ、４ｂ及び４ｃと同様に、光線を矢印線で示す。図４ｄに示すように、入射光線は、プリズム１００の下方内表面１０２（反射平面を構成する）において反射される。反射の効果は、ユーザがプリズムを通して見る画像を反転させることである。
【０１００】
図５ａ及び５ｂは、円柱レンズ装置の模式的平面図である。円柱レンズ装置は、図１のプリズムを円柱レンズ装置に置換することによって、又は図２ａ又は２ｂの鏡を円柱レンズ装置に置換することによって、図１、２ａ又は２ｂに示す眼鏡の一部を構成できる。図５ａにおいて、円柱レンズ装置１１０は、第一及び第二の円柱レンズ１１２及び１１４を備え、それらの円柱レンズはそれらの平面側表面が互いに対向するように、お互いに間隔をおいて配置される。光線を表す矢印線で示すように、円柱レンズは、ユーザがレンズを通して見る画像を反転する。レンズの円柱状形からみて、画像反転は、一方向、すなわち円柱レンズの平面に対して垂直な一平面に対応している。円柱レンズに関する別の装置を、図５ｂに示す。ここで、ユーザの眼１２４に近い円柱レンズ１２２は他の円柱レンズ１２６より小さい。光線から分かるように、眼に近いレンズ１２２の寸法を縮小することは、視界の損失を招かない。
【０１０１】
図６ａは、図５ａ及び５ｂに示す円柱レンズ装置の模式的側面図を示す。図６ａに示すように、小さい円柱レンズ１３２は、ユーザの眼１３４の前に配置される。前述の通り、円柱レンズ装置１３０は、眼鏡の一部を構成する。図６ａに示すように、接眼レンズの垂直的な開口は、増加する。これによって、眼の視軸に対する装置の垂直方向の照準（位置合わせ）に関する許容範囲を増加できる。
【０１０２】
図６ｂに示すように、非点収差のフレネルレンズ装置１４０を、円柱レンズ装置の代わりに使ってもよい。この装置の使用は、軽量化を可能とする。
【０１０３】
二つの別のフレネルレンズ装置のうちの一つを、円柱レンズ装置の代わりに使ってもよい。図６ｃに示す第一の別の装置において、フレネルプリズム配列１４２は、配列の二つの表面のそれぞれがある屈折角を有するように構成される。図６ｄに示す第二の別の装置において、空間１４６によって隔てられた二つのフレネルプリズム配列１４４が配置される。反射面１４８は、両配列の端となる一対のプリズムの両底面の間に配置される。
【０１０４】
本発明の更なる実施形態を図７に示す。図７に示すように、眼鏡１５０は、眼鏡の各レンズ１５６及び１５８の前に、プリズム１５２及び１５４を備える。各プリズム１５６及び１５８は、図３ａ、３ｂ、３ｃ、４ａ、４ｂ及び４ｃに関して上述した通りである。各レンズ１５６及び１５８の前のプリズム１５２及び１５４の存在は、眼鏡の着用者の各眼において画像反転を提供する。
【０１０５】
例えば、腕を切断し幻肢痛（ＰＬＰ）をもつユーザは、通常の手順で図１、２ａ及び２ｂに示される眼鏡の内の一つを着用し、彼の残っている腕（例えば彼の左腕）を注視する。光学装置（すなわちプリズム、鏡または円柱レンズ装置）の画像反転特性は、光学装置を通して見られる左腕の画像を、ユーザの眼に対して横方向に反転する。この効果は、見られた左腕が彼の右腕としてユーザに見えることである。それによって、彼の脳に、切断された右腕が存在すると思い込ませることができる。その結果、ユーザの脳は再配置を受け、これによって切断を受けたユーザを苦しめる幻肢痛（ＰＬＰ）を減少するものと理解される。
【０１０６】
図８ａ、８ｂ、８ｃ、８ｄ、８ｅ、８ｆ、８ｇ及び８ｈは、本発明による光学装置を備えた別の実施形態を示す。各実施形態において、光学装置（例えばプリズム、鏡又は円柱レンズ装置）は、上述の通り光学装置を通したユーザの視界を反転するように構成されると共に、ユーザに着用された眼鏡（着用できる機器を構成する）に取り外し可能に装着できるように構成される。更に具体的には、図８ａは、側を欠いている眼鏡１６０を示し、この眼鏡は、一つのレンズに取り付けられた光学装置１６２及びユーザに着用された眼鏡（図示せず）にこの眼鏡を留めることを可能にするスプリングクリップ１６４を備える。スプリングクリップ１６４（金属、又はプラスチック材料から形成できる）は、眼鏡１６０の後部から延びている。スプリングクリップ１６４のばね力は、堅いグリップ、又は緩めのグリップを得るように構成されていてよく、それによって、図８ａに示す眼鏡を着用された眼鏡につるすことができる。図８ａに示すスプリングクリップ構造は、一つのレンズのみを備え、他眼が別の遮蔽部材によって遮蔽されている単眼用構造にも適する。図８ａ、８ｂ、８ｃ、８ｄ、８ｅ、８ｆ及び８ｇに示す装置は、約２５グラムの重量である。
【０１０７】
図８ｂは、図８ａの実施形態とは別の実施形態を示し、側を欠いている眼鏡１７０は、一つのレンズに取り付けられた光学装置１７２及び眼鏡のフレームの周縁にお互いに間隔をおいて配置された多数のばね力のないクリップ１７４を備える。使用中、ばね力のないクリップ１７４は、眼鏡１７０をユーザに着用された眼鏡（図示せず）に装着するために用いられる。
【０１０８】
図８ｃは、一つのレンズの上に取り付けられた光学装置１８２及び磁気クリップ１８４を備えた、側を欠いている眼鏡１８０に関する、更なる実施形態を示す。使用中、磁気クリップ１８４は、眼鏡１８０をユーザに着用された眼鏡（図示せず）の金属部分（例えばフレーム）に装着するために用いられる。
【０１０９】
図８ｄは、一つのレンズの上に取り付けられた光学装置１９２及び図８ａに示すものと類似のスプリングクリップ１９４を備えた、側を欠いた眼鏡１９０に関する更なる実施形態の後方斜視図を示す。図８ｄの実施形態は、ユーザに着用された眼鏡（図示せず）に対して、図８ａの実施形態とほぼ同じ手順で留められる。
【０１１０】
図８ｅは、光学装置２０２及び眼鏡の両側にばね力のないクリップ２０４を備えた、側を欠いた眼鏡２００に関する更なる実施形態の前方斜視図を示す。クリップ２０４は、眼鏡２００をユーザに着用された眼鏡（図示せず）に装着するために用いられる。ハンドル２０６は、眼鏡２０６の片側に取り付けられている。このハンドル２０６は、図８ａ、８ｂ、８ｃ、８ｄ、８ｅ、８ｆ、８ｇ及び８ｈに示す実施形態のいずれに取り付けられていてもよい。
【０１１１】
図８ｆは、図８ａ、８ｂ、８ｃ、８ｄ及び８ｅに示す実施形態による眼鏡２１２が留められる、側２１０を備えた眼鏡の側面図を示す。実施形態の内の一つに基づく眼鏡２１２の留め付けは、ヒンジ２１４によって行われ、留め付けられた眼鏡２１２は上方へ回転して着用者の視線から外すことができる。留め付けられた眼鏡２１２は、ヒンジ２１４の再配置によって、それを横方向に、又は着用者の側頭部方向に回転させ着用者の視線から外すことができるように変更してもよい。ヒンジ２１４は、単眼用眼鏡装置の一部を構成し、上方向回転、又は横方向回転ができるようにしてもよい。
【０１１２】
図８ｇは、スプリングクリップ２２４の眼鏡の側頭部側に挟み部材２２６を備えることを除いて図８ａに示す実施形態と同様である、光学装置２２２を備えた実施形態２２０を示す。図８ｄの実施形態は、同様の手順で変更してもよい。
【０１１３】
図８ｈは、光学装置２３２及びスプリングクリップ２３４を備えた単眼用装置２３０の後方斜視図を示す。スプリングクリップ２３４の挟み部材２３６は、それらが装置の両側に位置するように、間隔をおいて配置される。
【０１１４】
図８ａ、８ｂ、８ｃ、８ｄ、８ｅ、８ｆ、８ｇ及び８ｈの実施形態でスプリングクリップを備える場合、ばねは、リーフスプリング、ヘリカルスプリング等の形態であってよい。
【０１１５】
図９ａ、９ｂ及び９ｃは、一つのレンズに取り付けられた光学装置を備える本発明による眼鏡を示す。図９ａ、９ｂ及び９ｃの眼鏡は、ユーザがいずれの方向を上にしても着用できるように構成されている。眼鏡をいずれの方向を上にしても着用できる機能によって、光学装置はユーザの左右眼のいずれにおいても使用できる。
【０１１６】
図９ａは、一つのレンズに取り付けられた光学装置２５２を備える眼鏡２５０を示す。眼鏡２５０の側２５８の先端部分２５４及び２５６は、眼鏡の着用者の耳の回りに適応するように各々形成されている。第一の先端部分２５４及び第二の先端部分２５６は、使用中に第一及び第二の先端部分２５４及び２５６の内の一つが耳と係合するように、実質的に逆の方向に延びる。例えば、図９ａに示すように、眼鏡２５０が第一の方向を上にして着用されるとき、第一の先端部分２５４は着用者の耳と係合する。眼鏡が逆向きに着用されるとき、第二の先端部分２５６は着用者の耳と係合する。
【０１１７】
図９ｂは、眼鏡が直線状の側２６２を備えることを除いて図９ａに示される眼鏡と同じである眼鏡２６０を示す。使用中に直線状の側２６２の各々は、眼鏡が何れの方向を上にして着用されても係わりなく、眼鏡の着用者の各々の耳の上に置かれる。
【０１１８】
図９ｃは、眼鏡の側２７４の先端部分に装着されるストラップ２７２を更なる特徴とする、図９ｂの眼鏡と同じである眼鏡２７０を示す。使用中に、ストラップは、眼鏡を適切な位置に保持するために、眼鏡２７０の着用者の頭部の周辺に合わされる。
【０１１９】
図１０は、一つのレンズに取り付けた光学装置３０２を備える眼鏡３００を示す。他のレンズは、遮蔽されている。光学装置は、光学装置が前頭面の周りを眼鏡に対して回転できるようにレンズに取り付けられる。図１０の装置は、以下の通り、図９ａ、９ｂ及び９ｃに示される逆向き着用能な眼鏡に使用される。眼鏡３００は、光学装置が着用者の右眼の前に配置されるように、第一の方向を上にして着用される。眼鏡が着用者の頭部に逆向きに着用されるとき、光学装置３０２は着用者の左眼の前に配置される。光学装置３０２の光学の構成に応じて、着用者の右眼でなく左眼の前に光学装置を配置させることは、眼鏡が適切に使用できないようにその光学装置を通した視界を向けることもある。眼鏡に対する光学装置３０２の回転によって、着用者は眼鏡を適切に使用するために視界を向け直すことができる。更に、光学装置３０２の実質的に１８０度の回転は、二つの中心軸距離（すなわち、異なるユーザの眼間隔）の変化を提供する。図１０において、実線は第一の中心軸距離における光学装置を示し、点線は第二の中心軸距離における光学装置を示す。光学装置が本質的に非共軸の装置（例えばドーブプリズム等）である場合、この種の光学装置がレンズの中心に配置されているときであっても、中心軸距離の変化が得られる。
【０１２０】
プリズム及び少なくとも一つのレンズを備える、本発明の各種実施形態を、図１１ａ、１１ｂ、１１ｃ、１１ｄ、１１ｅ及び１１ｆに示す。図１１ａ、１１ｂ、１１ｃ、１１ｄ、１１ｅ及び１１ｆの各々において、眼４００は、各実施形態に関して示される。実施形態の各々はプリズム４０２を備え、その機能は上述の通りである。
【０１２１】
図１１ａ及び１１ｂは、レンズが眼４００及び角柱４０２との間に配置される実施形態を示す。図１１ａの実施形態は、縮小レンズ４０４（縮小を提供する）を備え、図１１ｂの実施形態は、拡大レンズ４０６（拡大を提供する）を備える。
【０１２２】
図１１ｃ及び１１ｄは、レンズがプリズム４０２に対して眼４００の反対側に配置される実施形態を示す。図１１ｃの実施形態は、拡大レンズ４０６（拡大を提供する）を備え、図１１ｄの実施形態は、縮小レンズ４０４（拡大を提供する）を備える。
【０１２３】
図１１ａ及び１１ｄの実施形態に関して、画質は、レンズによって引き起こされるピンぼけを克服する、又は少なくとも減少させるユーザの眼のピント調整能力に依存する。図１１ａ、１１ｂ、１１ｃ及び１１ｄの実施形態のレンズの眼４００及びプリズム４０２に対する配置、及びレンズの光学特性及び寸法は、例えば拡大の範囲、縮小の範囲、視界の範囲及び明確に見ることができる対象の距離等の因子を決定する。配置、光学特性及び寸法は、周知の光学設計実務に基づき特定の要求事項に合わせて決定してよい。図１１ａ及び１１ｂと比較して図１１ｃ及び１１ｄのような眼から離れたレンズの配置は、周知の光学設計実務に基づき、拡大又は縮小の範囲に影響を及ぼす。実施形態の態様において、非点収差レンズは、見る対象物の経線状の歪みを提供するために使用される。
【０１２４】
図１１ｅ及び１１ｆは、一つの拡大レンズ４０６と一つの縮小レンズ４０４とをプリズム４０２に対して反対側に配置した実施形態を示す。
【０１２５】
図１１ｅの実施形態は、縮小レンズ４０４がプリズム４０２及び眼４００との間に配置されるガリレオの構成と認められ、この実施形態は縮小より拡大を提供することに適している。縮小は、縮小レンズ４０４の焦点距離が拡大レンズ４０６の焦点距離より大きい場合に可能である。図１１ｆの実施形態は、拡大レンズ４０６がプリズム４０２及び眼４００との間に配置される逆ガリレオの構成と認められ、この実施形態は拡大より縮小を提供することに適している。拡大、又は縮小は、両レンズの焦点距離の比率によって決定される。
【０１２６】
図１１ｅ及び１１ｆの実施形態は、レンズ間の距離がそれらの焦点距離の差異に等しくなるように構成され、これは機器からユーザの体の部分より遠くに置かれた対象を見ることを容易にする。代わりに、実施形態が、レンズ間の距離がそれらの焦点距離の差異より大きくなるように構成される場合、ユーザの体の部分を見ることを容易にする。実施形態の態様において、レンズは、経線状の拡大差異を提供する非点収差レンズである。全ての経線における最適ピントのため、レンズの非点収差の軸は平行であり、各経線における焦点距離の差異は同じである。図１１ａ、１１ｂ、１１ｃ及び１１ｄの実施形態と同様に、図１１ｅ及び１１ｆの実施形態のレンズの配置、光学特性及び寸法は、周知の光学設計実務に基づき特定の要求事項に合わせて決定されてよい。
【０１２７】
上述の実施形態の図示されていない構造に関し、光学機器は周知の設計及び作用のアルコール水準器を備え、それは光学機器が地面に対して水平であるときを示すために機能する。加えて、例えば図１０に示されるような光学装置が回転可能である、光学機器の図示されていない構造に関し、目盛り尺が光学機器に設けられ、可動指示器、例えばマークが光学装置に設けられている。光学装置が回転するにつれて、マークは光学装置の回転、及び回転する範囲を示すために目盛り尺に対して移動する。この様にして、身体の平面に対する光学機器の方向を決定されてよい。
【図面の簡単な説明】
【０１２８】
【図１】本発明の一実施形態による眼鏡の斜視図である。
【図２ａ】本発明の別の実施形態による眼鏡の斜視図である。
【図２ｂ】本発明の別の実施形態による眼鏡の斜視図である。
【図３ａ】本発明において使用する種々のプリズムの模式的側面図である。
【図３ｂ】本発明において使用する種々のプリズムの模式的側面図である。
【図３ｃ】本発明において使用する種々のプリズムの模式的側面図である。
【図４ａ】本発明において使用する光学装置の模式的平面図である。
【図４ｂ】本発明において使用する光学装置の模式的平面図である。
【図４ｃ】本発明において使用する光学装置の模式的平面図である。
【図４ｄ】本発明において使用する光学装置の模式的平面図である。
【図５ａ】本発明において使用する円柱レンズ装置の模式的平面図である。
【図５ｂ】本発明において使用する円柱レンズ装置の模式的平面図である。
【図６ａ】本発明において使用する円柱レンズ装置の模式的側面図である。
【図６ｂ】本発明において使用するフレネルレンズ装置の模式図である。
【図６ｃ】別のフレネルレンズ装置を示す。
【図６ｄ】別のフレネルレンズ装置を示す。
【図７】本発明の他の実施形態による眼鏡の斜視図である。
【図８ａ】ユーザに着用される眼鏡に取り外し可能に装着できるように構成された本発明の実施形態を示す。
【図８ｂ】ユーザに着用される眼鏡に取り外し可能に装着できるように構成された本発明の実施形態を示す。
【図８ｃ】ユーザに着用される眼鏡に取り外し可能に装着できるように構成された本発明の実施形態を示す。
【図８ｄ】ユーザに着用される眼鏡に取り外し可能に装着できるように構成された本発明の実施形態を示す。
【図８ｅ】ユーザに着用される眼鏡に取り外し可能に装着できるように構成された本発明の実施形態を示す。
【図８ｆ】ユーザに着用される眼鏡に取り外し可能に装着できるように構成された本発明の実施形態を示す。
【図８ｇ】ユーザに着用される眼鏡に取り外し可能に装着できるように構成された本発明の実施形態を示す。
【図８ｈ】ユーザに着用される眼鏡に取り外し可能に装着できるように構成された本発明の実施形態を示す。
【図９ａ】ユーザがいずれの方向を上にしても着用できるように構成された本発明の実施形態を示す。
【図９ｂ】ユーザがいずれの方向を上にしても着用できるように構成された本発明の実施形態を示す。
【図９ｃ】ユーザがいずれの方向を上にしても着用できるように構成された本発明の実施形態を示す。
【図１０】眼鏡に回転可能に組み付けられた本発明による光学装置を示す。
【図１１ａ】プリズム及び少なくとも一つのレンズを備えた本発明の実施形態を示す。
【図１１ｂ】プリズム及び少なくとも一つのレンズを備えた本発明の実施形態を示す。
【図１１ｃ】プリズム及び少なくとも一つのレンズを備えた本発明の実施形態を示す。
【図１１ｄ】プリズム及び少なくとも一つのレンズを備えた本発明の実施形態を示す。
【図１１ｅ】プリズム及び少なくとも一つのレンズを備えた本発明の実施形態を示す。
【図１１ｆ】プリズム及び少なくとも一つのレンズを備えた本発明の実施形態を示す。
【図１】
2009539127.tif 000003
【図２ａ】
2009539127.tif 000004
【図２ｂ】
2009539127.tif 000005
【図３ａ】
2009539127.tif 000006
【図３ｂ】
2009539127.tif 000007
【図３ｃ】
2009539127.tif 000008
【図４ａ】
2009539127.tif 000009
【図４ｂ】
2009539127.tif 000010
【図４ｃ】
2009539127.tif 000011
【図４ｄ】
2009539127.tif 000012
【図５ａ】
2009539127.tif 000013
【図５ｂ】
2009539127.tif 000014
【図６ａ】
2009539127.tif 000015
【図６ｂ】
2009539127.tif 000016
【図６ｃ】
2009539127.tif 000017
【図６ｄ】
2009539127.tif 000018
【図７】
2009539127.tif 000019
【図８ａ】
2009539127.tif 000020
【図８ｂ】
2009539127.tif 000021
【図８ｃ】
2009539127.tif 000022
【図８ｄ】
2009539127.tif 000023
【図８ｅ】
2009539127.tif 000024
【図８ｆ】
2009539127.tif 000025
【図８ｇ】
2009539127.tif 000026
【図８ｈ】
2009539127.tif 000027
【図９ａ】
2009539127.tif 000028
【図９ｂ】
2009539127.tif 000029
【図９ｃ】
2009539127.tif 000030
【図１０】
2009539127.tif 000031
【図１１ａ】
2009539127.tif 000032
【図１１ｂ】
2009539127.tif 000033
【図１１ｃ】
2009539127.tif 000034
【図１１ｄ】
2009539127.tif 000035
【図１１ｅ】
2009539127.tif 000036
【図１１ｆ】
2009539127.tif 000037
【国際調査報告】
2009539127.tif 000038
2009539127.tif 000039
2009539127.tif 000040
2009539127.tif 000041
2009539127.tif 000042
2009539127.tif 000043